【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
外側に向けられる外装シートと、受液側に向けられる液透過性の内面シートと、前記外装シートと内面シートとの間に位置する吸収層と、を有し、装着者の腹側に当てられる前面部と、股間部に当てられる中間部と、背側に当てられる後面部とが形成された使い捨ておむつにおいて、
前記外装シートの内側に、紙材と樹脂フィルムとのラミネート材に模様が多色に印刷された模様シートが貼着されて、前記外装シートを透して前記多色の模様が透視可能で、前記使い捨ておむつを背面または正面から見たときに、前記模様シートは、おむつの面積の５０％以下の面積を有していることを特徴とする模様シートを有する使い捨ておむつ。
【請求項２】
前記模様シートと前記吸収層の間に、前記外装シートおよび内面シートより小さい液不透過性シートが設けられている請求項１に記載の模様シートを有する使い捨ておむつ。
【請求項３】
前記模様シートと前記吸収層の間に、不織布で形成された疎水性シートが設けられている請求項１に記載の模様シートを有する使い捨ておむつ。
【請求項４】
前記模様シートが、透湿性である請求項１ないし３のいずれか１項に記載の使い捨ておむつ。
【請求項５】
前記模様シートは、前記外装シートに接着固定されている請求項１ないし４のいずれか１項に記載の使い捨ておむつ。
【請求項６】
前記模様シートは、ウエスト開口部に形成されたウエストギャザー、レッグ開口部に設けられたレッグギャザーおよび前記前面部から前記後面部にかけて形成された胴回りギャザーのいずれにも掛からないように取り付けられている請求項１ないし５のいずれか１項に記載の模様シートを有する使い捨ておむつ。
【請求項７】
前記模様シートは前記前面部と前記後面部の双方に設けられている請求項１ないし６のいずれか１項に記載の模様シートを有する使い捨ておむつ。
【請求項８】
前記外装シートが不織布である請求項１ないし６のいずれか１項に記載の使い捨ておむつ。
【手続補正２】
【補正対象書類名】明細書
【補正対象項目名】発明の名称
【補正方法】変更
【補正の内容】
【発明の名称】模様シートを有する使い捨ておむつ
【手続補正３】
【補正対象書類名】明細書
【補正対象項目名】０００１
【補正方法】変更
【補正の内容】
【０００１】
本発明は、使い捨ておむつに関し、特に多色印刷などの模様が、おむつの背面または正面の一部でのみ目視できるようにした模様シートを有する使い捨ておむつに関する。
【手続補正４】
【補正対象書類名】明細書
【補正対象項目名】０００８
【補正方法】変更
【補正の内容】
【０００８】
本発明は上記従来の課題を解決するものであり、低コストでおむつの一部にのみ模様を付することを可能とし、例えば多色印刷の模様を用いた場合でも大幅なコスト上昇を防止できるようにした使い捨ておむつを提供することを目的としている。
【手続補正５】
【補正対象書類名】明細書
【補正対象項目名】０００９
【補正方法】変更
【補正の内容】
【０００９】
また本発明は、おむつの一部に模様を付する場合に、模様とおむつとの位置ずれを最小にでき、また模様を付す箇所の変更にも自由に対応できる使い捨ておむつを提供することを目的としている。
【手続補正６】
【補正対象書類名】明細書
【補正対象項目名】００１０
【補正方法】変更
【補正の内容】
【００１０】
本発明は、外側に向けられる外装シートと、受液側に向けられる液透過性の内面シートと、前記外装シートと内面シートとの間に位置する吸収層と、を有し、装着者の腹側に当てられる前面部と、股間部に当てられる中間部と、背側に当てられる後面部とが形成された使い捨ておむつにおいて、
前記外装シートの内側に、紙材と樹脂フィルムとのラミネート材に模様が多色に印刷された模様シートが貼着されて、前記外装シートを透して前記多色の模様が透視可能で、前記使い捨ておむつを背面または正面から見たときに、前記模様シートは、おむつの面積の５０％以下の面積を有していることを特徴とする模様シート
を有することを特徴とするものである。
【手続補正７】
【補正対象書類名】明細書
【補正対象項目名】００１１
【補正方法】変更
【補正の内容】
【００１１】
好ましくは、前記模様シートと前記吸収層の間に、前記外装シートおよび内面シートより小さい液不透過性シート、あるいは不織布で形成された疎水性シートが設けられていることが好ましい。さらに好ましくは、前記模様シートが、透湿性である。
【手続補正８】
【補正対象書類名】明細書
【補正対象項目名】００１２
【補正方法】変更
【補正の内容】
【００１２】
また、前記模様シートは、前記外装シートに接着固定されていることが好ましい。
【手続補正９】
【補正対象書類名】明細書
【補正対象項目名】００１３
【補正方法】変更
【補正の内容】
【００１３】
本発明では、前記模様シートはウエスト開口部に形成さウエストギャザー、レッグ開口部に設けられたレッグギャザーおよび前記前面部から前記後面部にかけて形成された胴回りギャザーのいずれにも掛からないように取り付けられているものとして構成できる。
【手続補正１０】
【補正対象書類名】明細書
【補正対象項目名】００１４
【補正方法】変更
【補正の内容】
【００１４】
または、前記模様シートは前記前面部と前記後面部の双方に設けられていることが好ましく、また、前記外装シートが不織布であることが好ましい。
【手続補正１１】
【補正対象書類名】明細書
【補正対象項目名】００１５
【補正方法】削除
【補正の内容】
【手続補正１２】
【補正対象書類名】明細書
【補正対象項目名】００１９
【補正方法】変更
【補正の内容】
【００１９】
上記のように、模様シートとして、透湿性のシートを用いると外装シートが通気性、透湿性の場合に、模様シートを貼着したことで、前記外装シートの通気や透湿機能を阻害しない。しかし模様シートが前記背面または正面から見たときの外装シートの面積よりも５０％以下となるような小さいものであるため、模様シートが通気性や透湿性を有しないものであっても、おむつ全体としての蒸れ防止への影響を少なくできる。
【手続補正１３】
【補正対象書類名】明細書
【補正対象項目名】００２１
【補正方法】変更
【補正の内容】
【００２１】
本発明では、模様シートを外装シートへ貼着するときの精度を確保しておけば、おむつの所定の位置で模様を位置ずれさせることなく付すことが可能である。また模様を付す位置の変更や模様の大きさの変更にも容易に対応できる。
【手続補正１４】
【補正対象書類名】明細書
【補正対象項目名】００２４
【補正方法】変更
【補正の内容】
【００２４】
【図１】本発明のパンツ型おむつを示す斜視図、
【図２】図１に示したパンツ型おむつのＩＩ−ＩＩ線の断面図、
【図３】積層構造の他の実施の形態を示す断面図、
【図４】積層構造の他の実施の形態を示す断面図、
【図５】本発明の使い捨ておむつの製造方法を示す斜視図、
【図６】本発明の使い捨ておむつの製造方法を示す斜視図、
【図７】（Ａ）（Ｂ）は、おむつに対して模様を付す位置の変形例を示す背面図、
【手続補正１５】
【補正対象書類名】明細書
【補正対象項目名】００２５
【補正方法】変更
【補正の内容】
【００２５】
図１は本発明の一実施の形態であるパンツ型の使い捨ておむつを示す斜視図、図２は図１に示すパンツ型の使い捨ておむつのＩＩ−ＩＩ線の断面図、図５と図６は前記使い捨ておむつの製造方法の一例を示す斜視図である。